(57)【要約】【課題】分岐するイヤホンコードを束ねることにより、２本のコードを１本にまとめ、コードが独立に動くことを防ぎ、コードの絡まりを防止するイヤホンホルダを提供する。【解決手段】本考案のイヤホン１は、一対のイヤホン本体２ａ，２ｂと、再生装置等へ接続するプラグ３とを備え、イヤホン本体２とプラグ３とは、２本のコード４ａ，４ｂを介して接続されている。このコード４ａ，４ｂにおいて分岐点５を境に２本に分岐した分岐線６ａ，６ｂには、球状のコードホルダ７が設けられている。このコードホルダ７は、分岐線６ａ，６ｂを挿通する挿通孔７ａを備えるとともにこれらの分岐線を束ねるように構成されている。【選択図】図１
0003105534.tif 000002
【実用新案登録請求の範囲】
【請求項１】
一対のイヤホン本体とプラグとを接続する２本のコードがスライド移動可能に挿通される挿通孔を備え、
前記プラグと前記イヤホン本体との間の所定の位置で保持されるように、前記挿通孔の内周の少なくとも一部が接する柔軟性ある部材により形成されていることを特徴とするコードホルダ。
【請求項２】
前記コードホルダの外周から前記挿通孔へ向かってコードホルダの軸方向に沿った切り込み部を有することを特徴とする請求項１記載のコードホルダ。
【請求項３】
一対のイヤホン本体と、各種音声再生機器に接続するプラグと、前記イヤホン本体と前記プラグとを接続し前記プラグ側から前記イヤホン本体側への所定の位置で二股に分岐する２本のコードと、を備えるイヤホンにおいて、
前記イヤホン本体と前記分岐部分の間には、前記２本のコードを束ねるコードホルダが設けられ、
このコードコードホルダは、前記２本のコードがスライド移動可能に挿通される挿通孔を備え、前記２本のコードの所定の位置で保持されるように前記挿通孔の内周の少なくとも一部が接する柔軟性ある部材により形成されていることを特徴とするイヤホン。
【請求項４】
前記コードホルダは、その外周から前記挿通孔へ向かってコードホルダの軸方向に沿った切り込み部を有することを特徴とする請求項３記載のイヤホン。
【請求項５】
前記コードホルダは、前記２本のコード上に複数設けられ、
前記複数のコードホルダの間には、前記２本のコードを挿通されるアクセサリが間挿されていることを特徴とする請求項３または４記載のイヤホン。
【考案の詳細な説明】
【技術分野】
【０００１】
本考案は、ヘッドホンやイヤホン等のコードを束ねるコードホルダ及びそれを備えたイヤホンに関する。
【背景技術】
【０００２】
音楽再生機器やラジオ等に用いられるイヤホンは、小型で両耳に装着することにより手軽にステレオ方式の再生を可能とすることから、従来より、ポータブル再生機器等の付属品として愛用されている。
【０００３】
このようなイヤホン３０は、図６に示すように、両耳に装着する一対のイヤホン本体２と、再生機器等に接続するプラグ３と、これらの間をある程度の長さからなる２本のコード４から構成され、この２本のコード４は、プラグ３側からイヤホン本体２側に向かって最初は１本にまとめられ途中から分岐して、それぞれのコード４ａ，４ｂとなり、それらがイヤホン本体２ａ，２ｂに接続されるようになっている。
【０００４】
ところで、上記のようなイヤホンにおけるイヤホン本体側のコードが二股に分かれている部分では、２本のコードがイヤホン本体が耳掛け形状となっていることから、このイヤホン本体を中心としてそれぞれ独立に動いてしまう。そのため、こうしたイヤホンを接続した再生機器を収納する際、このイヤホン本体部分を中心として２本のコードが絡まってしまうことが多かった。
【０００５】
そこで、この２股に分かれたイヤホンコードの絡まりを防止するべく、不使用時にこの部分をファスナーで一体化したり、動物のマスコットを模した束ね具で２本のコードを束ねる技術が提案されている（例えば、下記特許文献１または２）。
【特許文献１】特開２００４−５６６３６
【特許文献２】実用新案登録第３０６６７４２号
【考案の開示】
【考案が解決しようとする課題】
【０００６】
しかしながら、上記特許文献１に記載されているように、イヤホンコードにファスナーを用いた場合、ファスナー部分の重量があり、結果としてイヤホン本体から利用者の耳にかかる重量が増すから、装着感の低下を招く。また、ファスナーによって、利用者の衣類に傷を付けたり、イヤホンコードに接触することにより、コードが断線する可能性も考えられる。
【０００７】
また、上記特許文献２に開示された絡み防止部材は、表部材と裏部材とを嵌合してなるものであるから、比較的硬質の部材で構成せざるを得ず、かつ角部を有するから、イヤホンコード上にこの絡み防止部材をスライドさせることによって、コードの磨耗や断線の原因となることがあった。さらに、このような硬質な部材は、コード上を滑りやすく、移動しやすいため、例えば、絡み防止部材を所望の位置に移動させたとしても、すぐにその位置からズレ、コードのまとまりを損なうことがあった。
【０００８】
本考案は、上記のような従来技術の課題を解決するために提案されたものであり、その目的は、分岐する２本のコードを１本にまとめることにより、コードが独立に動くことを防ぎ、コードの絡まりを防止するとともに、コードの断線を防止するコードホルダ及びそれを備えたイヤホンを提供することにある。
【課題を解決するための手段】
【０００９】
上記目的を達成するため、請求項１記載の考案は、一対のイヤホン本体とプラグとを接続する２本のコードがスライド移動可能に挿通される挿通孔を備え、前記プラグと前記イヤホン本体との間の所定の位置で保持されるように、前記挿通孔の内周の少なくとも一部が接する柔軟性ある部材により形成されていることを特徴とする。
【００１０】
請求項３記載の発明は、請求項１記載の考案をイヤホンに適用した場合を規定したものであり、一対のイヤホン本体と、各種音声再生機器に接続するプラグと、前記イヤホン本体と前記プラグとを接続し前記プラグ側から前記イヤホン本体側への所定の位置で二股に分岐する２本のコードと、を備えるイヤホンにおいて、前記イヤホン本体と前記分岐部分の間には、前記２本のコードを束ねるコードホルダが設けられ、このコードコードホルダは、前記２本のコードがスライド移動可能に挿通される挿通孔を備え、前記２本のコードの所定の位置で保持されるように前記挿通孔の内周の少なくとも一部が接する柔軟性ある部材により形成されていることを特徴とする。
【００１１】
これらの態様では、イヤホンの使用時には、プラグを再生等機器に接続するともに、コードホルダを分岐部分に移動させ、一対のイヤホン本体を利用者の両耳に装着した後、利用者はコードホルダを上下にスライドさせることによって、２本のコードの分岐位置を調整し、イヤホンコードの弛みを調整することが可能である。
【００１２】
また、このコードホルダの挿通孔は、プラグとイヤホン本体との間の所定の位置で保持されるように内周の一部が接する柔軟性ある部材により形成されているため、コードホルダは、コード上をスライド可能な一方で、スライド移動させた位置からズレにくい。
【００１３】
さらに、イヤホンの不使用時には、分岐部分近傍にあるコードホルダを２本のコード上をイヤホン本体側へスライドさせる。これにより、コードホルダによって２本のコードが束ねられる。また、コードホルダは、上記同様、２本のコード上をスライド可能であると同時に、挿通孔に設けられた柔軟性ある部材に接触し、コードホルダのずれを制限する。さらに、挿通孔とコードが接触していも当該２本のコードを傷めることがなく、イヤホンコードを断線させるようなことがない。
【００１４】
また、コードホルダ全体を例えばゴム等の柔軟性ある部材で構成した場合には、上記の効果に加えて、利用者の衣類に傷を付けるようなこともなく、イヤホンコードに接触することにより、コードが断線するようなこともない。また、コードホルダ自体が軽量となるため、利用者の身体的な負担を軽減するとともに、着用感や利便性の向上を図ることができる。
【００１５】
請求項２記載の考案は、請求項１記載の考案において、前記コードホルダの外周から前記挿通孔へ向かってコードホルダの軸方向に沿った切り込み部を有することを特徴とする。
【００１６】
また、請求項４記載の考案は、請求項２記載の考案をイヤホンに適用した場合を規定したものであり、請求項３記載の考案において、前記コードホルダは、その外周から前記挿通孔へ向かってコードホルダの軸方向に沿った切り込み部を有することを特徴とする。
【００１７】
これらの態様では、コードホルダに切り込み部が設けられていることにより、コードホルダは２本のコードに対して着脱自在に構成することが可能であるので、コードホルダを既存のイヤホンにも適用することができる。
【００１８】
請求項５記載の考案は、請求項３または４記載の考案において、前記コードホルダは、前記イヤホン本体と前記分岐部分の間に複数設けられ、前記複数のコードホルダの間には、前記２本のコードを挿通するアクセサリが間挿されていることを特徴とする。
【００１９】
以上の態様では、複数のコードホルダの間にアクセサリを間挿することによって、さらにバリエーションに富み、デザイン性の高いイヤホンを構成することが可能である。
【００２０】
なお、本考案におけるイヤホンとは、利用者の耳に装着し、電気信号を音響信号に変換する小型の装置のことをいい、特に特定の製品や態様を示唆するものではない。例えばイヤースピーカであってもインザイヤースピーカなど、本考案の上記作用効果を奏する装置であれば、すべて包含するものである。
【考案の効果】
【００２１】
以上のような本考案のコードホルダ及びそれを備えたイヤホンでは、イヤホン本体部分からコードの分岐部分までの間にコードホルダを設け、当該コードホルダをイヤホン本体近傍にスライドさせることによって、分岐した２本のコードを１本にまとめることができるため、コードがイヤホン本体に先導され独立に動くことを防ぎ、コードの絡まりを防止することができる。
【考案を実施するための最良の形態】
【００２２】
次に、本考案を実施するための最良の形態（以下、本実施形態という）について、図面を参照して説明する。
【００２３】
[本実施形態]
本実施形態におけるイヤホン１は、図１（ａ）に示すように、利用者の両耳に装着し、図示しない再生装置等からの当該利用者に対して音声を発する一対のイヤホン本体２ａ，２ｂと、再生装置等へ接続するプラグ３とを備え、イヤホン本体２とプラグ３とは、２本のコード４ａ，４ｂを介して接続されている。このコード４ａ，４ｂは、プラグ側から所定の長さ部分までは１本にまとめられ、その先の分岐点５を境に２本に分岐した分岐線６ａ，６ｂを形成し、それぞれがイヤホン本体２ａ，２ｂに至る。
【００２４】
そして、この分岐線６ａ，６ｂには、球状のコードホルダ７が設けられている。コードホルダ７は、図１（ｂ）の断面図に示すように、分岐線６ａ，６ｂを挿通する挿通孔７ａを備えるとともにこれらの分岐線６ａ，６ｂを束ねるように構成されている。これら分岐線６ａ，６ｂの分岐する分岐点５には、留具８が設けられている。
【００２５】
そして、コードホルダ７は、このイヤホン本体２と留具８との間の分岐線６ａ，６ｂ上をスライド可能であるが、同時にスライドさせた所定の位置で停止するようになっている。具体的には、コードホルダ７は、その全体をラバー等の柔軟性ある部材によって構成され、図１（ｂ）に示すように、挿通孔７ａがその内周で２本の分岐線６ａ，６ｂと接している。これにより、このコードホルダ７は、利用者が自らこれをスライドさせた場合には比較的容易に移動できるが、単に分岐線６ａ，６ｂを上下に向けただけではスライドしないように構成されている。さらに、コードホルダ７の周囲には、利用者の趣向に合わせてデザイン（例えば、花柄）が施されている。
【００２６】
このような構成からなる本考案のイヤホン１は、使用時には、プラグ３を図示しない再生等機器に接続するともに、コードホルダ７を分岐点５側に移動させ、一対のイヤホン本体２を利用者の両耳に装着する。装着後、利用者は、自己の両耳の位置や身体の大きさに合わせて、コードホルダ７を上下にスライドさせることによって、分岐線６ａ，６ｂの分岐点の位置を調整し、イヤホンコードの弛みを解消することが可能である。
【００２７】
さらに、コードホルダ７が、ラバー等の柔軟性のある部材で構成されていることから、分岐線６ａ，６ｂ上にこれをスライドさせても利用者の衣類に傷を付けたり、分岐線６ａ，６ｂを傷めることがなく、イヤホンコードを断線させるようなことがない。また、コードホルダ自体が軽量となるため、利用者の身体的な負担を軽減するとともに、着用感や利便性の向上を図ることができる。
【００２８】
一方、不使用時には、図１（ｃ）に示すように、分岐点５近傍にあるコードホルダ７を分岐線６ａ，６ｂ上をイヤホン本体２側へスライドさせる。これにより、コードホルダ７によって分岐線６ａ，６ｂの２本のコードが、イヤホン本体２側に至るまで１本に束ねられる。また、コードホルダ７が、ラバー等の柔軟性のある部材で構成され、さらに挿通孔７ａの内周は分岐線６ａ，６ｂと接しているため、コールホルダのスライドが可能であると同時に、スライドさせた位置からズレるのを防止することができる。
【００２９】
[他の実施形態]
本考案は、上記のような実施の形態に限定されるものではなく、以下に示すような種々の態様を包含するものであり、目的や用途に応じて適宜最適な態様を選択して実施することができるものである。
【００３０】
上記実施形態のイヤホン１では、コードホルダ７を分岐線６ａ，６ｂ上に１つ設けて構成したが、これは本考案のイヤホンを示す一態様に過ぎず、このコードホルダの数は、分岐線の長さや利用者の好み、イヤホン全体のデザイン等により、適宜変更可能である。
【００３１】
例えば、図２に示すように、このコードホルダ７を分岐線６ａ，６ｂ上に３つ設けた構成も考えられる。この場合、同図（ａ）に示すように、これら３つのコードホルダ７を分岐線６ａ，６ｂ上に均等に配置して束ねるようにすることもできるし、同図（ｂ）に示すように、イヤホン本体２近傍に集中させて配置して分岐線６ａ，６ｂを束ねることもできる。前者のように配置することで、分岐線６ａ，６ｂの全体に渡って１本にまとめることができる。また、後者のように、３つまとめて配置することによって、コードホルダ７がよりズレにくくなり、効果が高い。
【００３２】
また、本考案のコードホルダは、上記実施形態に示した球状に限られず、図３に示すような円筒状や三角形状等、デザイン上の観点から任意の形状で構成することが可能である。このように、本考案のコードホルダは、その便利さのみならず、装着した場合にデザインの特徴も発揮し、スタイリッシュな外観を演出することが可能である。なお、この場合も、取り付けるコードホルダの数は任意に変更可能である。
【００３３】
さらに、図４に示すように、コードホルダ１１の一部に分岐線が挿入可能な切り込み部１２を設けて構成することも可能である。これにより、コードホルダ１１は分岐線６ａ，６ｂに対して着脱自在に構成することが可能であるので、本考案のコードホルダを既存のイヤホンにも適用することができる。
【００３４】
また、上述の通り、本考案のコードホルダの外装に種々のデザインを施すことが可能であるが、コードホルダを上記のように着脱自在に構成した場合には、利用者が好みに応じてコードホルダのデザイン、個数や並べる順序を任意に選択可能であり、機能性のみならず、娯楽性を兼ね備えたコードホルダあるいはイヤホンを提供することができる。
【００３５】
また、例えば、図５のイヤホン２０に示すように、コードホルダ２１ａ，２１ｂの間にアクセサリ２２を間挿することによって、さらにバリエーションに富み、デザイン性の高いイヤホンを構成することが可能である。
【図面の簡単な説明】
【００３６】
【図１】本考案のコードホルダ及びイヤホンの構成を示す概念図（ａ）、断面図（ｂ）及び作用を示す概念図（ｃ）。
【図２】本考案のコードホルダ及びイヤホンの他の態様を示す概念図（ａ）及び（ｂ）。
【図３】本考案のコードホルダ及びイヤホンの他の態様を示す概念図。
【図４】本考案のコードホルダの他の態様を示す断面図。
【図５】本考案のコードホルダ及びイヤホンの他の態様を示す概念図。
【図６】従来のイヤホンの構成を示す図。
【符号の説明】
【００３７】
１，１０，２０，３０…イヤホン
２，２ａ，２ｂ…イヤホン本体
３…プラグ
４，４ａ，４ｂ…コード
５…分岐点
６ａ，６ｂ…分岐線
７，１１，２１…コードホルダ
７ａ…挿通孔
８…留具
２２…アクセサリ
【図１】
0003105534.tif 000003
【図２】
0003105534.tif 000004
【図３】
0003105534.tif 000005
【図４】
0003105534.tif 000006
【図５】
0003105534.tif 000007
【図６】
0003105534.tif 000008